(57)【要約】【課題】効率良く広告を行うことが可能な広告情報提供装置を提供する。【解決手段】データベースセンタ３は、携帯電話装置１に広告情報を送信する無線通信部１０５と、携帯電話装置１から送信される、携帯電話装置１の筐体の全面に設けられたディスプレイ１０８に表示された広告情報の表示履歴情報に基づいて、広告情報による広告効果を推測する為の広告効果推測指標を決定し、携帯電話装置１のユーザに支払う広告料を広告効果推測指標に応じて決定する広告料決定プログラムとを備える。【選択図】　図２
2004102504.tif 000002
【特許請求の範囲】
【請求項１】
表示部を有する携帯端末装置と通信可能な広告情報提供装置であって、
前記携帯端末装置に広告情報を送信する広告情報送信手段と、
前記携帯端末装置からの、前記表示部に表示された前記広告情報の表示履歴情報を受信する表示履歴情報受信手段と、
前記表示履歴情報に応じて、前記携帯端末装置のユーザに支払う広告料を決定する広告料決定手段とを備える広告情報提供装置。
【請求項２】
請求項１記載の広告情報提供装置であって、
前記広告情報は、前記携帯端末装置の背面を含む複数の面に配設される表示部に表示される情報を含む。
【請求項３】
請求項１又は請求項２記載の広告情報提供装置であって、
前記携帯端末装置の位置情報を取得する位置情報取得手段を備え、
前記広告情報送信手段は、前記位置情報に基づいて前記広告情報を前記携帯端末装置に送信する。
【請求項４】
請求項３記載の広告情報提供装置であって、
前記広告情報のサンプルを記録するサンプル記録部と、
前記携帯端末装置からの、前記広告情報のサンプルの送信を要求する要求情報を受信する要求情報受信手段と、
前記要求に応じて、前記広告情報のサンプルを前記携帯端末装置に送信するサンプル送信手段と、
前記携帯端末装置から受信した、前記サンプルの中から選択された広告情報を前記表示部に表示する日時及びエリアを、前記携帯端末装置のユーザにより指定する為の情報を記録する情報記録部とを備え、
前記広告情報送信手段は、前記日時に前記エリアに存在する携帯端末装置に前記サンプルの中から選択された広告情報を送信する。
【請求項５】
請求項３記載の広告情報提供装置であって、
前記携帯端末装置に送信する広告情報、当該広告情報の送信エリア、及び当該広告情報の送信日時が予め記録される記録部を備え、
前記広告情報送信手段は、前記送信日時に前記送信エリア内に存在する携帯端末装置に前記記録された広告情報を送信する。
【請求項６】
請求項１〜請求項５のいずれか記載の広告情報提供装置であって、
前記表示履歴情報は、前記表示部で前記広告情報が表示された時間である表示時間情報、前記表示部で前記広告情報が表示されたときの携帯端末装置の位置情報、前記表示部で前記広告情報が表示されたときの携帯端末装置の使用状態情報、及び前記携帯端末装置の端末機種情報を含み、
前記広告料決定手段は、前記表示履歴情報と、前記広告情報送信手段が前記広告情報を送信した日時情報とに基づいて、前記広告情報による広告効果を推測する為の指標を決定する指標決定手段を備える。
【請求項７】
表示部を有し、広告情報提供装置と通信可能な携帯端末装置であって、
前記広告情報提供装置から提供される広告情報を前記表示部に表示させる制御を行う表示制御手段と、
前記広告情報が前記表示部で表示された際の表示履歴情報を生成する表示履歴情報生成手段と、
前記表示履歴情報を前記広告情報提供装置に送信する表示履歴情報送信手段とを備える携帯端末装置。
【請求項８】
請求項７記載の携帯端末装置であって、
前記表示部は、前記携帯端末装置の背面を含む複数の面に配設される。
【請求項９】
請求項７又は請求項８記載の携帯端末装置であって、
自装置の位置を検出する位置検出手段と、
前記広告情報提供装置からの要求に応じて、前記検出された位置情報を前記広告情報提供装置に送信する位置情報送信手段とを備える。
【請求項１０】
請求項９記載の携帯端末装置であって、
前記広告情報のサンプルの送信を要求する要求情報を前記広告情報提供装置に送信する要求情報送信手段と、
前記要求に応じて送信されてくる前記広告情報のサンプルの中から選択される広告情報を前記表示部に表示させる日時及びエリアを前記携帯端末装置のユーザの指示により設定する設定手段と、
前記設定された日時情報及びエリア情報を前記広告情報提供装置に送信する広告情報送信手段とを備える。
【請求項１１】
請求項７〜請求項１０のいずれか記載の携帯端末装置であって、
前記表示履歴情報生成手段は、
前記広告情報が前記表示部に表示された時間である表示時間を計測する計測手段と、
前記広告情報が前記表示部に表示された際の位置を検出する位置検出手段と、前記広告情報が前記表示部に表示された際の前記携帯端末装置の使用状態を検出する使用状態検出手段と、
前記携帯端末装置の端末機種情報を記録する端末機種情報記録部とを備え、
前記表示履歴情報送信手段は、前記表示時間情報、前記位置情報、前記使用状態情報、及び前記端末機種情報を含む表示履歴情報を前記広告情報提供装置に送信する。
【請求項１２】
表示部を有する携帯端末装置を用いた広告方法であって、
前記表示部に表示させる広告情報を送信し、
前記表示部に表示される前記広告情報の表示履歴情報を受信し、
前記表示履歴情報に応じて、前記携帯端末装置のユーザに支払う広告料を決定する広告方法。
【請求項１３】
請求項１２記載の広告方法であって、
前記表示部は、前記携帯端末装置の背面を含む複数の面に配設される。
【請求項１４】
請求項１２又は請求項１３記載の広告方法であって、
前記表示履歴情報は、前記表示部で前記広告情報が表示された時間である表示時間情報、前記表示部で前記広告情報が表示されたときの携帯端末装置の位置情報、前記表示部で前記広告情報が表示されたときの携帯端末装置の使用状態情報、及び前記携帯端末装置の端末機種情報を含み、
前記表示履歴情報と前記広告情報を送信した日時情報とに基づいて、前記広告情報による広告効果を推測する為の指標を決定し、前記指標に基づいて前記広告料を決定する。
【発明の詳細な説明】
【０００１】
【発明の属する技術分野】
本発明は、携帯端末装置に広告情報を提供する広告情報提供装置、携帯端末装置、及び広告方法に関する。
【０００２】
【従来の技術】
従来、広告情報依頼者が広告情報をユーザに提供する方法としては、移動体通信装置の位置情報を基にそれに関連付けられた広告情報を提供する、特開２００２−４１９５４号公報に記載されたものが知られている。
【０００３】
図１３は、従来の広告情報提供システムの構成図である。
図１３に示した移動体通信装置１０は、ＧＰＳシステムなどを使って移動体通信装置１０の位置情報を検出し、通信事業者２０の管理する通信網等を介してデータベースセンタ３０に送信する。これを受けて、データベースセンタ３０は、その送られてくる位置情報に基づいた広告情報（その位置周辺の店舗の情報等）を取得し、それを位置情報の送信元である移動体通信装置１０に送信する。移動体通信装置１０は、送信されてくる自装置宛の広告情報を受信して表示部に表示する。この構成により、広告情報依頼者は商売に結び付く可能性の高いユーザに対して広告情報を提供できる。
【０００４】
【発明が解決しようとする課題】
しかしながら、従来の移動体通信装置を用いた広告情報の提供方法では、受信した広告情報を、移動体通信装置のユーザ以外の人が閲覧可能な状況においても、その広告情報による広告効果は同一であるとみなされてしまう。つまり、移動体通信装置のユーザだけが広告情報を閲覧している場合と、ユーザ及びユーザ以外の人が広告情報を閲覧している場合とでは、広告情報による広告効果は異なるのにも関わらず、その広告効果は一定であるとみなされていた。この為、効率良く広告が行われていないという問題点があった。
【０００５】
本発明は、上記問題点に鑑みて為されたものであり、効率良く広告を行うことが可能な広告情報提供装置、携帯端末装置、及び広告方法を提供することを目的とする。
【０００６】
【課題を解決するための手段】
本発明の広告情報提供装置は、表示部を有する携帯端末装置と通信可能な広告情報提供装置であって、前記携帯端末装置に広告情報を送信する広告情報送信手段と、前記携帯端末装置からの、前記表示部に表示された前記広告情報の表示履歴情報を受信する表示履歴情報受信手段と、前記表示履歴情報に応じて、前記携帯端末装置のユーザに支払う広告料を決定する広告料決定手段とを備える。
【０００７】
この構成により、携帯端末装置の表示部における広告情報の表示履歴に応じてユーザに支払う広告料が決定される為、広告情報の提供者は、携帯端末装置の表示部を利用して効率良く広告を行うことが可能となる。
【０００８】
又、本発明の広告情報提供装置は、前記広告情報が、前記携帯端末装置の背面を含む複数の面に配設される表示部に表示される情報を含む。
【０００９】
この構成により、表示部に表示される広告情報を携帯端末装置の周辺から閲覧しやすくなる為、より多くの人に広告情報を閲覧してもらうことができ、広告効果を高めることが可能となる。
【００１０】
又、本発明の広告情報提供装置は、前記携帯端末装置の位置情報を取得する位置情報取得手段を備え、前記広告情報送信手段が、前記位置情報に基づいて前記広告情報を前記携帯端末装置に送信する。
【００１１】
この構成により、広告情報の依頼者は、携帯端末装置の位置情報に基づいて広告情報を提供できる為、広告効果を高めることができる。
【００１２】
又、本発明の広告情報提供装置は、前記広告情報のサンプルを記録するサンプル記録部と、前記携帯端末装置からの、前記広告情報のサンプルの送信を要求する要求情報を受信する要求情報受信手段と、前記要求に応じて、前記広告情報のサンプルを前記携帯端末装置に送信するサンプル送信手段と、前記携帯端末装置から受信した、前記サンプルの中から選択された広告情報を前記表示部に表示する日時及びエリアを、前記携帯端末装置のユーザにより指定する為の情報を記録する情報記録部とを備え、前記広告情報送信手段は、前記日時に前記エリアに存在する携帯端末装置に前記サンプルの中から選択された広告情報を送信する。
【００１３】
この構成により、携帯端末装置のユーザによって指定された広告情報が、指定された日時に、指定されたエリア内に存在する携帯端末装置に送信される。この為、携帯端末装置のユーザの要望によって表示部に表示させる広告情報やその表示日時及びエリアを変えることが可能となる。
【００１４】
又、本発明の広告情報提供装置は、前記携帯端末装置に送信する広告情報、当該広告情報の送信エリア、及び当該広告情報の送信日時が予め記録される記録部を備え、
前記広告情報送信手段は、前記送信日時に前記送信エリア内に存在する携帯端末装置に前記記録された広告情報を送信することを特徴とする。
【００１５】
この構成により、予め設定されている日時に、予め設定されているエリア内に存在する携帯端末装置に、予め設定されている広告情報が送信される。この為、広告情報の提供者が、人が多く存在する日時及びエリアにある携帯端末装置に広告情報を送信するよう設定することで、効率良く広告を行うことができる。
【００１６】
又、本発明の広告情報提供装置は、前記表示履歴情報が、前記表示部で前記広告情報が表示された時間である表示時間情報、前記表示部で前記広告情報が表示されたときの携帯端末装置の位置情報、前記表示部で前記広告情報が表示されたときの携帯端末装置の使用状態情報、及び前記携帯端末装置の端末機種情報を含み、前記広告料決定手段は、前記表示履歴情報と、前記広告情報送信手段が前記広告情報を送信した日時情報とに基づいて、前記広告情報による広告効果を推測する為の指標を決定する指標決定手段を備える。
【００１７】
この構成により、広告効果が低いと推測される場合は広告料を安くしたり、広告効果が高いと推測される場合は広告料を高くしたりといった広告料の柔軟な料金体系を実現することが可能な為、広告情報の提供者は効率良く広告を行うことができる。
【００１８】
本発明の携帯端末装置は、表示部を有し、広告情報提供装置と通信可能な携帯端末装置であって、前記広告情報提供装置から提供される広告情報を前記表示部に表示させる制御を行う表示制御手段と、前記広告情報が前記表示部で表示された際の表示履歴情報を生成する表示履歴情報生成手段と、前記表示履歴情報を前記広告情報提供装置に送信する表示履歴情報送信手段とを備える。
【００１９】
又、本発明の携帯端末装置は、前記表示部が、前記携帯端末装置の背面を含む複数の面に配設される。
【００２０】
この構成により、携帯端末装置の周辺からでも広告情報を閲覧しやすくなる為、より多くの人に広告情報を閲覧してもらうことができる。
【００２１】
又、本発明の携帯端末装置は、自装置の位置を検出する位置検出手段と、前記広告情報提供装置からの要求に応じて、前記検出された位置情報を前記広告情報提供装置に送信する位置情報送信手段とを備える。
【００２２】
この構成により、携帯端末装置の位置に応じた広告情報が広告情報提供装置から提供され、その広告情報が表示部に表示されることで、携帯端末装置のユーザやその周辺の人は、位置に応じた有用な情報を得ることができる。
【００２３】
又、本発明の携帯端末装置は、前記広告情報のサンプルの送信を要求する要求情報を前記広告情報提供装置に送信する要求情報送信手段と、前記要求に応じて送信されてくる前記広告情報のサンプルの中から選択される広告情報を前記表示部に表示させる日時及びエリアを前記携帯端末装置のユーザの指示により設定する設定手段と、前記設定された日時情報及びエリア情報を前記広告情報提供装置に送信する広告情報送信手段とを備える。
【００２４】
この構成により、携帯端末装置の表示部に表示させる広告情報、その表示エリア、及びその表示日時をユーザによって設定可能となる。
【００２５】
又、本発明の携帯端末装置は、前記表示履歴情報生成手段が、前記広告情報が前記表示部に表示された時間である表示時間を計測する計測手段と、前記広告情報が前記表示部に表示された際の位置を検出する位置検出手段と、前記広告情報が前記表示部に表示された際の前記携帯端末装置の使用状態を検出する使用状態検出手段と、前記携帯端末装置の端末機種情報を記録する端末機種情報記録部とを備え、前記表示履歴情報送信手段は、前記表示時間情報、前記位置情報、前記使用状態情報、及び前記端末機種情報を含む表示履歴情報を前記広告情報提供装置に送信する。
【００２６】
この構成により、表示履歴情報を広告情報提供装置に送信することができる。
【００２７】
本発明の広告方法は、表示部を有する携帯端末装置を用いた広告方法であって、前記表示部に表示させる広告情報を送信し、前記表示部に表示される前記広告情報の表示履歴情報を受信し、前記表示履歴情報に応じて、前記携帯端末装置のユーザに支払う広告料を決定する。
【００２８】
又、本発明の広告方法は、前記表示部が、前記携帯端末装置の背面を含む複数の面に配設される。
【００２９】
又、本発明の広告方法は、前記表示履歴情報が、前記表示部で前記広告情報が表示された時間である表示時間情報、前記表示部で前記広告情報が表示されたときの携帯端末装置の位置情報、前記表示部で前記広告情報が表示されたときの携帯端末装置の使用状態情報、及び前記携帯端末装置の端末機種情報を含み、前記表示履歴情報と前記広告情報を送信した日時情報とに基づいて、前記広告情報による広告効果を推測する為の指標を決定し、前記指標に基づいて前記広告料を決定する。
【００３０】
【発明の実施の形態】
以下、本発明の実施形態について図面を参照して説明する。
図１は、本発明の実施形態に係る広告情報提供システムの構成図である。
本実施形態に係る広告情報提供システムは、携帯電話装置１を使うユーザＡだけでなく、ユーザＡの周辺にいる不特定多数の人Ｂに対して、携帯電話装置１の持つディスプレイを利用して広告情報を提供する（広告を行う）システムである。
【００３１】
図１に示した広告情報提供システムは、広告情報受付装置４から有線又は無線により送信された広告情報がデータベースセンタ３に蓄積され、通信事業者２を介して双方向無線通信によって携帯電話装置１に対して広告情報を提供するという構成を採用している。ここで、広告情報受付装置４は、広告情報依頼者から依頼される広告情報を受け付け、これをデータベースセンタ３に登録する装置である。尚、本実施形態で説明する携帯電話装置１は、予めユーザによってデータベースセンタ３にユーザ登録されているものであり、広告情報の提供を希望するユーザが所有する携帯電話装置１である。
【００３２】
次に、図２から図４を参照して広告情報提供システムについて具体的に説明する。
図２は、本発明の実施形態に係る広告情報提供システムの内部構成図である。図３は、携帯電話装置１の外観図である。図４は、携帯電話装置１の内部構成図である。尚、図２においては、携帯電話装置１に格納される広告情報を表示する為のプログラムを図示するとともに、データベースセンタ３に格納されるプログラム及びデータを図示している。
【００３３】
携帯電話装置１は、ＣＰＵ１０６で動作するプログラムとして、通話する為のプログラムや電子メールの送受信の為のプログラム等、従来の携帯電話装置にあるプログラムのほかに、データベースセンタ３にアクセスし、広告情報等を送受信し、広告情報をディスプレイ１０８に表示する処理等を行う広告情報処理プログラム１１０を備えており、本システムにおける携帯電話装置１の処理は、この広告情報処理プログラム１１０によって行われる。尚、広告情報処理プログラム１１０はメモリ１０３に格納される。
【００３４】
データベースセンタ３は、広告情報提供プログラム３０１、広告料決定プログラム３０２、及び広告情報データベース３０３を備える。
【００３５】
広告情報提供プログラム３０１は、携帯電話装置１の広告情報処理プログラム１１０によって送信される携帯電話装置１の位置情報に対応した広告情報を、広告情報データベース３０３から選択して、通信事業者２を介して携帯電話装置１に送信する。
【００３６】
広告料決定プログラム３０２は、携帯電話装置１のディスプレイ１０８に表示された広告情報に対してユーザに支払う広告料の決定処理を行う。尚、広告情報提供プログラム３０１及び広告料決定プログラム３０２は、データベースセンタ３内のコンピュータが読み取り可能な半導体メモリなどの適当な記録媒体に格納されており、コンピュータによって実行され動作する。
【００３７】
携帯電話装置１は、図３に示したように、これを使うユーザＡの周辺にいる不特定多数の人Ｂに対しても広告情報を提供（広告）する為に、即ち、不特定多数の人Ｂに対して携帯電話装置１がどのような方向からであっても広告情報を閲覧できるようにする為に、全ての面に広告情報表示の為のディスプレイ１０８を搭載している。又、広告情報による広告効果を高くする為に、各面のディスプレイ１０８が携帯電話装置１の各面の面積に対して最大となるように構成されている。更に、通話の為の音声入力部１０９及び音声出力部１０７を搭載し、携帯電話装置１を操作する為に必要な操作ボタン１０４を備える。
【００３８】
又、携帯電話装置１は、図４に示すように、アンテナ１０１、外部との無線通信を行う無線通信部１０５、携帯電話装置１の各部を制御するＣＰＵ１０６、データベースセンタ３から送信されてくる広告情報、通話等の機能に関するプログラムやデータ、携帯電話装置１の機種情報等が記録されるメモリ１０３、操作ボタン１０４、音声出力部１０７、音声入力部１０９、位置情報を収集する為に必要な複数の衛星からのＧＰＳ情報を受け取り、携帯電話装置１の位置を検出する位置検出部１０２、及び広告情報を表示する為に必要なディスプレイ１０８を備える。
【００３９】
次に、広告情報処理プログラム１１０の処理手順（携帯電話装置１に提供される広告情報が受信及び表示される処理手順）について説明する。
図５は、広告情報処理プログラムの処理手順を説明する為のフローチャートである。
【００４０】
まず、広告情報処理プログラム１１０によって動作する携帯電話装置１は、広告情報提供プログラム３０１によって動作するデータベースセンタ３から広告情報の提供要求を受けた場合、その広告情報の提供を許可するか否かの判断をする（ＳＴＥＰ１）。ＳＴＥＰ１の判断でＹＥＳ（受信許可に設定されている）の場合には、携帯電話装置１が使用中（通話中又は操作ボタン１０４の操作中）か否かの判断をする（ＳＴＥＰ２）。ＳＴＥＰ２の判断でＹＥＳ（通話中又は操作ボタン１０４の操作中）の場合には、携帯電話装置１が広告情報を直ぐに表示するように設定されているか否かの判断をする（ＳＴＥＰ３）。ＳＴＥＰ３の判断でＹＥＳ（広告情報を直ぐに表示）の場合には、送信されてくる広告情報と同一の広告情報が携帯電話装置１のメモリ１０３に保存されているか否かの判断をする（ＳＴＥＰ４）。
【００４１】
ＳＴＥＰ４の判断でＹＥＳ（送信されてくる広告情報と同一の広告情報が携帯電話装置１のメモリ１０３に既に保存されている）の場合には、メモリ１０３に保存されている広告情報を携帯電話装置１のディスプレイ１０８に表示する（ＳＴＥＰ５）。一方、ＳＴＥＰ４の判断でＮＯ（送信されてくる広告情報と同一の広告情報が携帯電話装置１のメモリ１０３に保存されていない）の場合には、当該広告情報を受信して、リアルタイムで携帯電話装置１のディスプレイ１０８に表示すると共に、その広告情報をメモリ１０３に記録する（ＳＴＥＰ６）。
【００４２】
広告情報の表示中、携帯端末装置１は、広告情報を表示した際の携帯端末装置１の位置を検出し、広告情報が表示された表示時間を計測し、広告情報を表示した際の携帯端末装置１の使用状態を検出する。そして、広告情報の表示終了後、検出した位置情報、計測した表示時間情報、検出した使用状態情報、及び自身の機種情報等の広告情報による広告効果を推測する為の指標を決定する為の指標決定情報（表示履歴情報）をデータベースセンタ３に送信する（ＳＴＥＰ７）。尚、ＳＴＥＰ２及びＳＴＥＰ３における判断がＮＯの場合には、広告情報を受信してメモリ１０３に記録しておく（ＳＴＥＰ８）。
【００４３】
次に、携帯電話装置１に搭載されている広告情報処理プログラム１１０の処理手順（携帯電話装置１のメモリ１０３に保存された広告情報の表示を行う処理手順）について説明する。以下で説明する処理手順は、図５で説明したフローのＳＴＥＰ２、ＳＴＥＰ３における判断がＮＯであり、広告情報がメモリ１０３に記録された後の処理である。
【００４４】
図６は、広告情報処理プログラム１１０により、携帯電話装置１のメモリ１０３に保存された広告情報の表示を行う処理手順を説明する為のフローチャートである。
まず、広告情報処理プログラム１１０は、携帯電話装置１のディスプレイ１０８に広告情報を表示可能か否かの判断をする（ＳＴＥＰ１１）。
尚、広告情報を表示可能な状態とは、メモリ１０３に保存されている広告情報に対して、ユーザが操作ボタン１０４を操作して表示を要求した場合、若しくは、予め携帯電話装置１に対して広告情報の表示を行う日時及び位置（エリア）が設定されていて、これらの条件を携帯電話装置１が満たした状態を言う。
【００４５】
ＳＴＥＰ１１の判断でＹＥＳ（広告情報表示可能）の場合には、携帯電話装置１が使用中（通話中又は操作ボタン１０４の操作中）か否かの判断をする（ＳＴＥＰ１２）。ＳＴＥＰ１２の判断でＹＥＳ（使用中）の場合には、表示要求された広告情報をメモリ１０３から読み出して表示する（ＳＴＥＰ１３）。その後、上述した指標決定情報をデータベースセンタ３に送信する（ＳＴＥＰ１４）。
【００４６】
次に、データベースセンタ３を構成する広告情報データベース３０３について説明する。
図７は、データベースセンタ内の広告情報データベースのデータ構成を示す図である。同図に示したように、広告情報データベース３０３には、広告情報管理テーブル４０１、ユーザ情報管理テーブル４０２、及び広告情報コンテンツ管理テーブル４０３が記録されている。
【００４７】
広告情報管理テーブル４０１には、「ユーザＩＤ」、「広告情報ＩＤ」、「広告情報送信日時」、「広告情報送信エリア」、「広告情報表示位置」、「広告情報表示時間」、及び「携帯電話装置の使用状態」の７つの項目が記録される。
【００４８】
「広告情報ＩＤ」には、携帯電話装置１に提供する広告情報のＩＤが記録される。「広告情報送信日時」には、広告情報を携帯電話装置１に送信する日時を指定する為の情報が記録される。「広告情報送信エリア」には、広告情報を送信するエリアを指定する為の情報が記録される。「広告情報表示位置」には、携帯電話装置１で広告情報が表示された際の当該携帯電話装置１の位置情報が記録される。「広告情報表示時間」には、携帯電話装置１で広告情報が表示されていた表示時間情報が記録される。「携帯電話装置の使用状態」には、携帯電話装置１で広告情報が表示された際の当該携帯電話装置１の使用状態情報が記録される。ここで、携帯電話装置１の使用状態情報には、通話状態、ユーザの鞄の中に入れられている状態、及び操作ボタン１０４が操作されている状態等のいずれかの状態情報が記録される。
【００４９】
尚、上述した広告情報の表示位置情報、表示時間情報、及び携帯電話装置の使用状態情報は、広告情報が携帯電話装置１に送信されて表示された後に、携帯電話装置１から送信されてくる情報である。又、「広告情報ＩＤ」、「広告情報送信日時」、及び「広告情報送信エリア」に記録される情報は、広告情報依頼主又は携帯電話装置１のユーザにより任意に設定変更可能である。
【００５０】
ユーザ情報管理テーブル４０２には、「ユーザＩＤ」、「携帯電話機種」、及び「ユーザ情報」の３つの項目が記録され、広告情報の提供を希望するユーザの携帯電話装置の機種情報及びユーザの個人情報がユーザＩＤと共に記録される。
【００５１】
広告情報コンテンツ管理テーブル４０３には、「広告情報ＩＤ」、「広告情報コンテンツ」、及び「広告時間」の３つの項目が記録され、携帯電話装置１に表示させる為の広告情報コンテンツ及び１つの広告情報コンテンツを表示させる単位時間を広告時間とした情報が広告情報ＩＤと共に記録される。
【００５２】
広告情報管理テーブル４０１の各パラメータについて説明する。例えば、“００００１”というユーザＩＤに対して“０００１１”という広告情報ＩＤの広告情報コンテンツを、設定された広告情報送信日時である２００２年２月３日１２：００に、位置情報（ｘ１，ｙ１）の地点から半径ｒ１メートル以内のエリアにそのユーザの持つ携帯電話装置１が存在する場合、設定された広告時間の間（１５秒間）広告情報を送信し、その後に携帯電話装置１から送信されてくる指標決定情報をこのテーブルに記録するという構成である。
【００５３】
次に、広告情報提供プログラム３０１によって実行される広告情報送信処理について説明する。
図８は、広告情報提供プログラムによって実行される、携帯電話装置への広告情報送信処理手順を説明する為のフローチャートである。
【００５４】
広告情報データベース３０３の広告情報管理テーブル４０１に登録された広告情報送信日時になり、広告情報送信要求が発生したとき、先ず、広告情報提供プログラム３０１は携帯電話装置１に位置情報の送信を要求し、その要求に応答して携帯端末装置１から送信されてくる位置情報を受信する（ＳＴＥＰ２１）。
【００５５】
次に、受信した位置情報が広告情報データベース３０３の広告情報管理テーブル４０１に登録された広告情報送信エリアに含まれるか否かの判断をする（ＳＴＥＰ２２）。ＳＴＥＰ２２の判断でＹＥＳ（広告情報送信エリアに含まれる）の場合は、携帯電話装置１において、携帯電話装置１のメモリ１０３に、これから送信しようとする広告情報が既に記憶されているか否かの判断が行われる（ＳＴＥＰ２３）。ＳＴＥＰ２３の判断でＹＥＳ（広告情報がメモリ１０３に既に記憶されている）の場合には、その旨を通知する情報に基づいて、メモリ１０３に記録されている広告情報をディスプレイ１０８に表示する命令信号を携帯端末装置１に送信する（ＳＴＥＰ２４）。そして、携帯端末装置１の表示部１０８には、広告情報が表示される。
【００５６】
一方、ＳＴＥＰ２３の判断でＮＯ（広告情報がメモリ１０３に記憶されていない）の場合には、その旨を通知する情報を受信し、その通知に応じて、広告情報データベース３０１内の広告情報コンテンツ管理テーブル４０３に格納されている広告情報を携帯電話装置１に送信する（ＳＴＥＰ２５）。
【００５７】
最後に、携帯電話装置１のディスプレイ１０８に表示された広告情報の広告効果を推測する為の指標を決定する為の指標決定情報を携帯電話装置１から受信して、広告情報データベース３０３の広告情報管理テーブル４０１における、「広告情報表示位置」、「広告情報表示時間」、及び「携帯電話装置の使用状態」の項目に、受信した指標決定情報を記録する（ＳＴＥＰ２６）。以上が、データベースセンタ３が広告情報を携帯端末装置１に送信し、その広告情報がディスプレイ１０８に表示されるまでの処理の説明である。
【００５８】
本実施形態の広告情報提供システムでは、データベースセンタ３から携帯電話装置１に送信する広告情報の内容や送信スケジュール（送信日時及び送信エリアの設定）を広告情報依頼者が設定できるようになっている。この例について以下に説明する。
【００５９】
図９は、データベースセンタ３における広告情報送信スケジュールの登録処理手順を説明する為のフローチャートである。
図２に示した広告情報受付装置４から広告情報送信スケジュールの登録要求を行う際に、広告情報依頼者は、ユーザに提供したい広告情報、該広告情報を送信する日時情報、及び該広告情報を送信するエリア情報等の広告情報送信スケジュールを広告情報受付装置４に入力する（ＳＴＥＰ３１）。広告情報提供プログラム３０１は、広告情報受付装置４から送信される広告情報の内容やその広告情報の送信スケジュールを広告情報データベース３０３の広告情報管理テーブル４０１及び広告情報コンテンツテーブル４０３に記録する（ＳＴＥＰ３２）。
【００６０】
この処理手順によって、広告情報依頼者は、広告情報依頼者が指定した日時に指定したエリアに存在する携帯電話装置に、指定した内容の広告情報を送信することができる。この為、例えば、携帯電話装置１と同一エリア内に存在している大型スクリーンに表示される広告情報と同じ広告情報を、携帯電話装置１のディスプレイ１０８の表示と同期させて表示させることも可能となる。このようにすることで、大型スクリーンを見ていない人でも、その近くにいるユーザの持つ携帯電話装置１のディスプレイ１０８を見ることで、大型スクリーンと同じ広告情報を見ることができる。この結果、広告効果を向上させることができる。
【００６１】
又、本実施形態の広告情報提供システムでは、広告情報依頼者だけでなく、携帯電話装置１のユーザによっても、広告情報の内容や広告情報送信スケジュールを設定できるようにしている。以下、携帯電話装置１によって実行される、広告情報送信スケジュールの登録処理手順について説明する。
【００６２】
図１０は、携帯電話装置によって実行される、広告情報送信スケジュールの登録処理手順を説明する為のフローチャートである。
データベースセンタ３の広告情報提供プログラム３０１は、携帯電話装置１から広告情報の内容や広告情報送信スケジュールの登録要求があると、広告情報データベース３０３の広告情報コンテンツ管理テーブル４０３に記録されている広告情報コンテンツのサンプルデータを携帯電話装置１に送信する。携帯電話装置１では、データベースセンタ３から送信されてくる広告情報のサンプルデータを受信し（ＳＴＥＰ４１）、ディスプレイ１０８にはサンプルデータが表示される。
【００６３】
ユーザは、携帯電話装置１に表示させたい広告情報のサンプルデータを操作ボタン１０４を操作して選択し、選択した広告情報を表示させたい日時及びエリアを入力する（ＳＴＥＰ４２）。そして、携帯電話装置１は、ＳＴＥＰ４２で入力された入力情報と携帯電話装置１の機種情報とをデータベースセンタ３に送信する（ＳＴＥＰ４３）。
【００６４】
ＳＴＥＰ４３で送信された入力情報と機種情報は、データベースセンタ３の各テーブルに登録され、ユーザによって指定された日時に指定されたエリア内に、そのユーザの所有する携帯電話装置がある場合、その携帯電話装置には、ユーザの指定した広告情報が表示される。
【００６５】
この処理によって、携帯電話装置１のユーザは、ディスプレイ１０８に表示させたい広告情報を日時及びエリアによって変えることが可能となり、自由自在に広告情報を表示させるように設定することができる。この為、ディスプレイ１０８に表示させる広告情報（画像や映像情報等）の内容を任意に変えることにより、携帯電話装置１のデザインを自由に変えることができ、個性の差別化を図ることができる。
以上が、広告情報依頼者や携帯電話装置１のユーザによって、広告情報の内容や広告情報送信スケジュールを設定する処理についての説明である。
【００６６】
又、本実施形態では、携帯電話装置１から送信されてくる指標決定情報と、データベースセンタ３の広告情報データベース３０３に記録される該携帯電話装置１に広告情報を送信した送信日時情報とに基づいて、携帯電話装置１のディスプレイ１０８に表示された広告情報の広告効果を推定する為の指標を決定し、決定した指標に基づいてユーザに支払う広告料を決定し、決定した広告料を携帯電話装置１のユーザに対して支払う構成としている。以下、ユーザに対して広告料が支払われるまでの処理について説明する。
【００６７】
図１１は、広告情報提供プログラムが携帯電話装置から受信した指標決定情報を登録する際の処理手順を説明する為のフローチャートである。
携帯電話装置１のディスプレイ１０８に広告情報が表示された後、広告情報提供プログラム３０１によって動作するデータベースセンタ３は、携帯電話装置１から送信されてくる指標決定情報を受信する（ＳＴＥＰ５１）。次に、受信した指標決定情報を広告情報データベース３０３の広告情報管理テーブル４０１に記録する（ＳＴＥＰ５２）。
【００６８】
次に、図１１で指標決定情報が広告情報データベース３に記録された後に、データベースセンタ３の広告料決定プログラム３０２によって実行される、ユーザに支払う広告料を決定する処理について説明する。
図１２は、データベースセンタの広告料決定プログラムによる広告料の決定処理手順を説明する為のフローチャートである。
【００６９】
先ず、広告情報データベース３０３の広告情報管理テーブル４０１において、広告料支払いがされていないユーザが存在するか否かを判定し（ＳＴＥＰ６１）、存在する場合（ＳＴＥＰ６１：ＮＯ）は、広告料支払いがされていないユーザを１件選択する（ＳＴＥＰ６２）。
【００７０】
次に、選択されたユーザについて、前回の広告料支払い処理から今回の広告料支払い処理までの期間に該ユーザに送信した広告情報の指標決定情報と該広告情報の送信日時情報とに基づいて、広告効果を推定する為の指標を決定し、その指標に応じて該ユーザに支払う広告料を決定する（ＳＴＥＰ６３）。そして、ユーザが使用している通信事業者２に対して、ユーザが広告情報を受信するのに要した通信料金を問い合わせ、その通信料金の一部又は全部を広告料として還元する（ＳＴＥＰ６４）。
【００７１】
尚、広告効果を推定する為の指標の決定は、データベースセンタの図示しない記録部に記録される指標管理テーブルを参照することで行う。指標管理テーブルには、広告情報の表示時間情報、広告情報の表示位置情報、広告情報の表示日時情報、広告情報を表示した携帯電話装置の使用状態情報、及び広告情報を表示した携帯電話装置の機種情報の５つの情報の組み合わせが多数記録されており、その組み合わせ毎に広告効果を推定する為の指標（例えば１〜１０の１０段階の数値）が記録されている。
【００７２】
又、上記の指標に対する広告料の決定は、データベースセンタの図示しない記録部に記録される広告料テーブルを参照することで決定する。広告料テーブルには、上述した１０段階の指標に対応する広告料の支払い率（通信料金の還元率：０％〜１００％の間に設定）が記録されている。尚、指標管理テーブル及び広告料テーブルに記録される内容は、広告情報依頼者によって設定可能である。
【００７３】
例えば、繁華街等、携帯電話装置１のユーザ周辺に多くの人がいる場所や日時に広告情報が表示されたときには、広告情報依頼者が、広告効果が高いと推測（指標が大きくなるように設定）して広告料の支払い率を高く（例えば１００％に）したり、逆に、人がいない日時や場所で広告情報が表示されたときは、広告効果が低いと推測（指標が小さくなるように設定）して広告料の支払い率を低く（例えば０％に）したりする。このようにすることで、広告情報依頼者は、広告効果が低いと推測される広告情報に対して余計な広告料を支払うことが無くなる為、効率良く広告を行うことができる。
【００７４】
又、広告情報が表示された際の携帯電話装置１の使用状態によって指標を決定することができる。例えば、ユーザが携帯電話装置１を用いて通話しているときは、携帯電話装置１の側面と裏面のディスプレイ１０８に表示される広告情報が周辺の人によって視認可能となる為、指標を高く（広告効果が高いと推測するように）設定する。一方、携帯電話装置１が鞄やポケットなどの中にあり使用されていないときには、指標を低く（広告効果がないと推測するように）設定することもできる。
【００７５】
以上、図面を参照して本発明の実施形態について説明したが、本発明はこれに限定されるものではない。
例えば、本実施形態では、広告情報の提供についてのみ示したが、データベースセンタ３には、広告情報以外の画像及び映像等のデータを携帯電話装置１に対して提供するようにして、携帯電話装置１のユーザに対して情報料を請求するような構成をとっても良い。
【００７６】
又、広告料の決定に関しては、通信料金の還元率を広告料テーブルに記録しているが、広告情報毎に予め定められた広告料金を記録しておくようにしても良い。
【００７７】
又、上述の説明では、広告情報を表示する携帯機器として、携帯電話装置１を用いたが、ＰＤＡのような表示装置を有する通信機能を持った携帯機器であれば何でも構わない。
【００７８】
又、携帯電話装置１における広告情報の提供手段として、画像や映像等の広告情報を表示する表示装置を用いたが、音声を出力する音声出力装置を併せて用いても良い。これにより、より高い広告効果を期待することができる。
【００７９】
又、携帯電話装置１とデータベースセンタ３との双方向通信を単一の通信事業者２を通してシステムを実現しているが、これを複数の通信事業者としても良く、又、通信事業者が無くても良い。
【００８０】
又、広告料が、携帯電話装置１のユーザに通信事業者２を通して通信料の一部又は全部として支払われているが、ユーザに直接広告料を支払う構成を採っても良い。
【００８１】
以上のように、本実施形態によれば、ディスプレイ１０８を有する携帯電話装置１に、その位置情報に基づいて広告情報を送信し、その広告情報がディスプレイ１０８で表示されることで、ユーザＡの周りにいる不特定多数の人Ｂも広告情報を見ることが可能となる為、広告効果を向上させることができる。
【００８２】
又、本実施形態によれば、ユーザに支払われる広告料は、広告情報による広告効果を推測する為の指標に応じて決定される。この為、指標が低かった場合は広告料を安くしたり、指標が高かった場合は広告料を高くしたりすることで、広告情報の提供者は効率良く広告情報を提供して広告を行うことができる。
【００８３】
又、本実施形態によれば、広告情報の受信に要した通信料金が、広告情報依頼者から支払われる広告料を用いて還元される為、ユーザは通信料金を抑えることが可能となる。一方で、多くの広告情報を受信しても、広告効果が高いと推測されれば通信料金が還元される為、ユーザはより多くの情報を送受信するようになる。したがって、通信のトラフィックが増大し、より多く使ってもらいたいという通信事業者の思惑とも一致する。したがって、ユーザ、広告情報依頼者、及び通信事業者の３者にとって利益のあるシステムを実現できる。
【００８４】
【発明の効果】
本発明によれば、効率良く広告を行うことが可能な広告情報提供装置、携帯端末装置、及び広告方法を提供することができる。
【図面の簡単な説明】
【図１】本発明の実施形態に係る広告情報提供システムの構成図である。
【図２】本発明の実施形態に係る広告情報提供システムの内部構成図である。
【図３】本発明の実施形態に係る携帯電話装置の外観図である。
【図４】本発明の実施形態に係る携帯電話装置の内部構成図である。
【図５】本発明の実施形態に係る広告情報処理プログラムの処理手順を説明する為のフローチャートである。
【図６】本発明の実施形態に係る広告情報処理プログラムにより、携帯電話装置のメモリに保存された広告情報の表示を行う処理手順を説明する為のフローチャートである。
【図７】本発明の実施形態に係るデータベースセンタ内の広告情報データベースのデータ構成図である。
【図８】本発明の実施形態に係る広告情報提供プログラムによって実行される、携帯電話装置への広告情報送信処理手順を説明する為のフローチャートである。
【図９】本発明の実施形態に係るデータベースセンタにおける広告情報送信スケジュールの登録処理手順を説明する為のフローチャートである。
【図１０】本発明の実施形態に係る携帯電話装置によって実行される、広告送信スケジュールの登録処理手順を説明する為のフローチャートである。
【図１１】本発明の実施形態に係る広告情報提供プログラムが携帯電話装置から受信した広告効果推測指標決定情報を登録する際の処理手順を説明する為のフローチャートである。
【図１２】本発明の実施形態に係るデータベースセンタの広告料決定プログラムにおける、ユーザに対して支払う広告料を算出する処理手順を説明する為のフローチャートである。
【図１３】従来の広告情報提供システムの構成図である。
【符号の説明】
Ａ　ユーザ
Ｂ　携帯電話装置１周辺の不特定多数の人
１　携帯電話装置
２　通信事業者
３　データベースセンタ
４　広告情報受付装置
１０１　アンテナ
１０２　位置検出部
１０３　メモリ
１０４　操作ボタン
１０５　無線通信部
１０６　ＣＰＵ
１０７　音声出力部
１０８　ディスプレイ
１０９　音声入力部
１１０　広告情報処理プログラム
３０１　広告情報提供プログラム
３０２　広告料決定プログラム
３０３　広告情報データベース
４０１　広告情報管理テーブル
４０２　ユーザ管理テーブル
４０３　広告情報コンテンツテーブル
【図１】
2004102504.tif 000003
【図２】
2004102504.tif 000004
【図３】
2004102504.tif 000005
【図４】
2004102504.tif 000006
【図５】
2004102504.tif 000007
【図６】
2004102504.tif 000008
【図７】
2004102504.tif 000009
【図８】
2004102504.tif 000010
【図９】
2004102504.tif 000011
【図１０】
2004102504.tif 000012
【図１１】
2004102504.tif 000013
【図１２】
2004102504.tif 000014
【図１３】
2004102504.tif 000015